(57)【要約】【課題】フード下面開口部に整流板を設けたレンジフードにおいて、構造が簡単で、かつ、レンジフード未使用時には吸い込み間隙を閉鎖し、フード部下面と整流板下面が面一となるレンジフードを提供することを目的とする。【解決手段】調理時に発生する油煙を屋外に排気する送風機ユニット３と、下面に開口部５を備えた略箱状のフード部４と、前記フード部４下面の開口部５に吸い込み風速を増加させるための矩形状の整流板６とを備え、レンジフード未使用時は前記整流板６を上昇させ、フード部４下面の開口部５を閉鎖し、フード部４下面と整流板６下面が面一となるよう構成したことにより、フード本体内部の汚れを隠すことができるとともに、フード下面に凹凸がないため、見栄えがよいレンジフードを提供できる。【選択図】図１
2008082634.tif 000002
【特許請求の範囲】
【請求項１】
調理時に発生する油煙を屋外に排気する送風機と、下面に開口部を備えた略箱状のフード部と、前記フード部下面開口部に矩形状の整流板とを備え、使用時は前記整流板を下降させ、フード部下面開口部の外周との間に隙間を形成し、未使用時は前記整流板を上昇させフード部下面開口部を閉鎖し、フード部下面と整流板下面が面一となることを特徴としたレンジフード。
【請求項２】
フード部前面を、フード部側方に設けられた収納棚前面と面一にしたことを特徴とした請求項１記載のレンジフード。
【請求項３】
整流板とフード部下面の当接部に、閉鎖時の密閉性を向上させるための弾力性のあるパッキンを設けたことを特徴とした請求項１または２記載のレンジフード。
【請求項４】
フード部に送風機を操作するためのスイッチを設け、スイッチ操作と連動し、送風機運転時には整流板が自動で下降し、送風機停止時には整流板が自動で上昇することを特徴とした請求項１〜３のいずれかに記載のレンジフード。
【請求項５】
フード部に温度検知センサーを設け、その温度検知センサーで鍋内の温度を検知することにより、調理をしているか否かを判断し、調理時には自動で送風機の運転、整流板の下降を行ない、未調理時には自動で送風機の停止、整流板の上昇を行なうことができることを特徴とした請求項１〜３のいずれかに記載のレンジフード。
【請求項６】
フード部に照明を設け、温度検知センサーで鍋内の温度を検知することにより、調理をしているか否かを判断し、調理時には自動で照明の点灯、未調理時には自動で照明の消灯ができることを特徴とした請求項５記載のレンジフード。
【請求項７】
複数の照明を設け、温度検知センサーにより調理機器の使用位置を判断し、調理機器の使用位置に応じた位置の照明の点灯、消灯を自動でできることを特徴とした請求項６記載のレンジフード。
【請求項８】
整流板は複数に分割され、複数の整流板は個別に上昇、下降することができることを特徴とした請求項１〜３のいずれかに記載のレンジフード。
【請求項９】
フード部に温度検知センサーを設け、その温度検知センサーで鍋内の温度を検知することにより、調理機器の使用位置を判断し、調理機器の使用位置に応じた位置の整流板の上昇、下降と、送風機の運転、停止を自動でできることを特徴とした請求項８記載のレンジフード。
【発明の詳細な説明】
【技術分野】
【０００１】
本発明は、調理機器の上方に設置され、調理時に発生する油煙を捕集して屋外に排気するレンジフードに関する。
【背景技術】
【０００２】
従来、この種のレンジフードとして、フード下面開口部中央に整流板を設け、開口部と整流板の間隙の吸い込み風速を増加させ、開口部と整流板の間隙に開閉可能な閉塞板を設けたレンジフードが知られている（例えば、特許文献１参照）。
【０００３】
以下、そのレンジフードについて図９、図１０を参照しながら説明する。
【０００４】
図９、図１０に示すレンジフードは、部屋の壁に接しないで中央に設置されるタイプのレンジフードで、該レンジフードは、平面形状が正方形で切頭角錐形状をしたフード１０１と、そのフード１０１に連続した筒体１０２内に収容した送風機１０３とで構成され、その送風機１０３の吐出口には排気ダクト１０４が接続されている。
【０００５】
フード１０１の内部には、平面形状が正方形の取り付け枠１０５が、フード１０１の内面に支え１０６を介して取り付けられ、その取り付け枠１０５の下面に該取り付け枠１０５の外形と略同形の整流板１０７が取り付けられている。
【０００６】
フード１０１の開口部周縁と整流板１０７とによってフード１０１の周辺に吸い込み風速を増速する吸い込み間隙１０９が区画形成され、その吸い込み間隙１０９を閉鎖又は開放する閉塞板１０８がフード１０１内側に設けられている。閉塞板１０８は、フード１０１の下端周縁と整流板１０７の外周縁とで形成される四角環状の各辺にそれぞれ１枚の部材で構成しても、さらに分割して構成されてもよく、閉塞板１０８は、吸い込み間隙１０９を開放する場合、図１０で詳細を示すとおり、フード１０１の周縁内側に立て掛け、保持し、閉鎖する場合、取り付け枠１０５の外周縁とフード１０１の下端における溝部とに亘って橋渡し状に掛け渡して閉鎖する。
【０００７】
上記のように構成したレンジフードは、該レンジフードの下方に設置されているガスレンジ等の調理器具で調理して発生する燃焼廃ガスや油煙が、室内の空調機や人の移動による気流の影響を受けずにほぼ真っ直ぐにフード１０１に向かって立ち上ぼる場合は、フード１０１と整流板１０７とで区画形成される環状の吸い込み間隙１０９を全て開放して該吸い込み間隙１０９に生じる増速された吸い込み風速に乗じて効果的に吸引し、排気することができる。また、燃焼廃ガスや油煙が空調機や人の移動による気流の影響を受けて流される場合は、その流された方向に位置する吸い込み間隙１０９を開放し、それ以外の箇所の吸い込み間隙１０９を閉鎖すれば、開放されている吸い込み間隙１０９部分に生じる吸い込み風速は更に増速されるため、気流で流される燃焼廃ガス及び油煙等を確実に捕らえて吸引排気することができる。
【特許文献１】特開平９−２２２２４９号公報
【発明の開示】
【発明が解決しようとする課題】
【０００８】
このような従来のレンジフードでは、吸い込み間隙に別部品の閉塞板を設けるため、構造が複雑で、凹凸が多く、掃除がし難い、フード本体下面の見栄えが悪いという課題があった。
【０００９】
本発明は、このような従来の課題を解決するものであり、構造が簡単で、掃除がし易く、かつ見栄えのよいレンジフードを提供することを目的としている。
【００１０】
また、フード本体は大型でキッチン全体の美観を損なうという課題があった。
【００１１】
本発明は、このような従来の課題を解決するものであり、キッチン全体の美観を損なわないレンジフードを提供することを目的としている。
【００１２】
また、フード本体と閉塞板は金属板で構成されているため、閉塞板閉鎖時に十分な密閉性が得られないという課題があった。
【００１３】
本発明は、このような従来の課題を解決するものであり、吸い込み間隙の閉鎖時に吸い込み間隙の密閉性を高めたレンジフードを提供することを目的としている。
【００１４】
また、閉塞板は使用者が手で開閉するため、油で汚れた閉塞板を直接手で触れることになるという課題があった。
【００１５】
本発明は、このような従来の課題を解決するものであり、使用者が送風機のスイッチを操作することにより自動で吸い込み間隙を開閉できるレンジフードを提供することを目的としている。
【００１６】
また、送風機を運転するための操作部は高所のフード本体に設けられており、使用者は高所まで手を伸ばして操作しなければなならいという課題があった。
【００１７】
本発明は、このような従来の課題を解決するものであり、使用者が高所まで手を伸ばすことなく送風機の運転、吸い込み間隙の開閉ができるレンジフードを提供することを目的としている。
【００１８】
また、照明を点灯するための操作部は高所のフード本体に設けられており、使用者は高所まで手を伸ばして操作しなければなならいという課題があった。
【００１９】
本発明は、このような従来の課題を解決するものであり、使用者が高所まで手を伸ばすことなく照明の点灯ができるレンジフードを提供することを目的としている。
【００２０】
また、調理の鍋の位置にかかわらず、照明は一定の箇所を照らしているという課題があった。
【００２１】
本発明は、このような従来の課題を解決するものであり、調理の鍋の位置により、照明が照らす箇所を変更することができるレンジフードを提供することを目的としている。
【００２２】
また、フード下面開口部は１枚の整流板で覆われているため、フード下面開口部の周縁部からしか油煙を吸い込まないという課題があった。
【００２３】
本発明は、このような従来の課題を解決するものであり、フード本体下面開口部の周縁部以外からも油煙を吸い込み、効率よく捕集することができるレンジフードを提供することを目的としている。
【００２４】
また、調理の鍋の位置により、使用者が吸い込み間隙の閉鎖板を開放、閉鎖する位置を変更しなくてはならないという課題があった。
【００２５】
本発明は、このような従来の課題を解決するものであり、調理の鍋の位置により、使用者が閉鎖板を開放、閉鎖する位置を変更する必要のないレンジフードを提供することを目的としている。
【課題を解決するための手段】
【００２６】
本発明のレンジフードは上記目的を達成するために、調理時に発生する油煙を屋外に排気する送風機と、下面に開口部を備えた略箱状のフード部と、前記フード部下面開口部に矩形状の整流板とを備え、使用時は前記整流板を下降させ、フード部下面開口部の外周との間に隙間を形成し、未使用時は前記整流板を上昇させフード部下面開口部を閉鎖し、フード部下面と整流板下面が面一となるよう構成したものである。
【００２７】
この手段により、構造が簡単で、レンジフード未使用時には吸い込み間隙を閉鎖し、フード本体内部の汚れを隠すことができるとともに、フード下面に凹凸がないため、見栄えがよく、レンジフード使用時には調理で発生した油煙を効率よく排気できるレンジフードが得られる。
【００２８】
また、他の手段は、略箱状のフード部前面を、フード部側方に設けられた収納棚前面と面一に構成したものである。
【００２９】
この手段により、フード部側方に設けられた収納棚前面に対し、フード本体の出っ張りがなく、キッチン全体の美観を損なわないレンジフードが得られる。
【００３０】
また、他の手段は、整流板とフード部下面の当接部に閉鎖時の密閉性を向上させるための弾力性のあるパッキンを設けた構成としたものである。
【００３１】
この手段により、吸い込み間隙を閉鎖時に屋外からの空気の侵入を防止することができるレンジフードが得られる。
【００３２】
また、他の手段は、フード部に送風機を操作するためのスイッチを設け、スイッチ操作と連動し、送風機運転時には整流板が自動で下降し、送風機停止時には整流板が自動で上昇する構成としたものである。
【００３３】
この手段により、自動で吸い込み間隙を開閉することができるレンジフードが得られる。
【００３４】
また、他の手段は、フード部に温度検知センサーを設け、その温度検知センサーで鍋内の温度を検知することにより、調理をしているか否かを判断し、調理時には自動で送風機の運転、整流板の下降を行ない、未調理時には自動で送風機の停止、整流板の上昇を行なうことができる構成としたものである。
【００３５】
この手段により、使用者が高所まで手を伸ばしてスイッチを操作することなく送風機の運転、吸い込み間隙の開閉ができるレンジフードが得られる。
【００３６】
また、他の手段は、フード部に照明を設け、温度検知センサーで鍋内の温度を検知することにより、調理をしているか否かを判断し、調理時には自動で照明の点灯、未調理時には自動で照明の消灯ができる構成としたものである。
【００３７】
この手段により、使用者が高所まで手を伸ばしてスイッチを操作することなく照明の点灯、消灯ができるレンジフードが得られる。
【００３８】
また、他の手段は、複数の照明を設け、温度検知センサーにより調理機器の使用位置を判断し、調理機器の使用位置に応じた位置の照明の点灯、消灯を自動でできる構成としたものである。
【００３９】
この手段により、効率よく鍋の中を照らすことができるレンジフードが得られる。
【００４０】
また、他の手段は、整流板は複数に分割され、複数の整流板は個別に上昇、下降することができる構成としたものである。
【００４１】
この手段により、下降した整流板の周囲のみから空気を吸い込むため、吸い込み風速を増加させることができ、油煙を効率よく捕集することができるレンジフードが得られる。
【００４２】
また、他の手段は、フード部に温度検知センサーを設け、その温度検知センサーで鍋内の温度を検知することにより、調理機器の使用位置を判断し、調理機器の使用位置に応じた位置の整流板の上昇、下降と、送風機の運転、停止を自動でできる構成としたものである。
【００４３】
この手段により、使用者が高所まで手を伸ばしてスイッチを操作することなく送風機の運転ができ、油煙を効率よく捕集することができるレンジフードが得られる。
【発明の効果】
【００４４】
本発明によれば、調理時に発生する油煙を屋外に排気する送風機と、下面に開口部を備えた略箱状のフード部と、前記フード部下面開口部に矩形状の整流板とを備え、使用時は前記整流板を下降させ、フード部下面開口部の外周との間に隙間を形成し、未使用時は前記整流板を上昇させフード部下面開口部を閉鎖し、フード部下面と整流板下面が面一となるよう構成したことにより、構造が簡単で、レンジフード未使用時には吸い込み間隙を閉鎖し、フード本体内部の汚れを隠すことができるとともに、フード下面に凹凸がないため、見栄えがよく、レンジフード使用時には調理で発生した油煙を効率よく排気できるレンジフードを提供できる。
【００４５】
また、略箱状のフード部前面を、フード部側方に設けられた収納棚前面と面一に構成したことにより、フード部側方に設けられた収納棚前面に対し、フード本体の出っ張りがなく、キッチン全体の美観を損なわないレンジフードを提供できる。
【００４６】
また、整流板とフード部下面の当接部に閉鎖時の密閉性を向上させるための弾力性のあるパッキンを設けた構成としたことにより、吸い込み間隙を閉鎖時に屋外からの空気の侵入を防止することができるレンジフードを提供できる。
【００４７】
また、フード部に送風機を操作するためのスイッチを設け、スイッチ操作と連動し、送風機運転時には整流板が自動で下降し、送風機停止時には整流板が自動で上昇する構成としたことにより、自動で吸い込み間隙を開閉することができるレンジフードを提供できる。
【００４８】
また、フード部に温度検知センサーを設け、その温度検知センサーで鍋内の温度を検知することにより、調理をしているか否かを判断し、調理時には自動で送風機の運転、整流板の下降を行ない、未調理時には自動で送風機の停止、整流板の上昇を行なうことができる構成としたことにより、使用者が高所まで手を伸ばしてスイッチを操作することなく送風機の運転、吸い込み間隙の開閉ができるレンジフードを提供できる。
【００４９】
また、フード部に照明を設け、温度検知センサーで鍋内の温度を検知することにより、調理をしているか否かを判断し、調理時には自動で照明の点灯、未調理時には自動で照明の消灯ができる構成としたことにより、使用者が高所まで手を伸ばしてスイッチを操作することなく照明の点灯、消灯ができるレンジフードを提供できる。
【００５０】
また、複数の照明を設け、温度検知センサーにより調理機器の使用位置を判断し、調理機器の使用位置に応じた位置の照明の点灯、消灯を自動でできる構成としたことにより、効率よく鍋の中を照らすことができるレンジフードを提供できる。
【００５１】
また、整流板は複数に分割され、複数の整流板は個別に上昇、下降することができる構成としたことにより、下降した整流板の周囲のみから空気を吸い込むため、吸い込み風速を増加させることができ、油煙を効率よく捕集することができるレンジフードを提供できる。
【００５２】
また、フード部に温度検知センサーを設け、その温度検知センサーで鍋内の温度を検知することにより、調理機器の使用位置を判断し、調理機器の使用位置に応じた位置の整流板の上昇、下降と、送風機の運転、停止を自動でできる構成としたことにより、使用者が高所まで手を伸ばしてスイッチを操作することなく送風機の運転ができ、油煙を効率よく捕集することができるレンジフードを提供できる。
【発明を実施するための最良の形態】
【００５３】
本発明の請求項１記載のレンジフードは、調理時に発生する油煙を屋外に排気する送風機と、下面に開口部を備えた略箱状のフード部と、前記フード部下面開口部に矩形状の整流板とを備え、使用時は前記整流板を下降させ、フード部下面開口部の外周との間に隙間を形成し、未使用時は前記整流板を上昇させフード部下面開口部を閉鎖し、フード部下面と整流板下面が面一となるよう構成したことにより、構造が簡単で、レンジフード未使用時には吸い込み間隙を閉鎖し、フード本体内部の汚れを隠すことができるとともに、フード下面に凹凸がないため、見栄えがよく、レンジフード使用時には調理で発生した油煙を効率よく排気できる。
【００５４】
また、略箱状のフード部前面を、フード部側方に設けられた収納棚前面と面一に構成したことにより、フード部側方に設けられた収納棚前面に対し、フード本体の出っ張りがなく、キッチン全体の美観を損なわないという作用を有する。
【００５５】
また、整流板とフード部下面の当接部に閉鎖時の密閉性を向上させるための弾力性のあるパッキンを設けた構成としたことにより、吸い込み間隙を閉鎖時に屋外からの空気の侵入を防止することができる。
【００５６】
また、フード部に送風機を操作するためのスイッチを設け、スイッチ操作と連動し、送風機運転時には整流板が自動で下降し、送風機停止時には整流板が自動で上昇する構成としたことにより、自動で吸い込み間隙を開閉することができる。
【００５７】
また、フード部に温度検知センサーを設け、その温度検知センサーで鍋内の温度を検知することにより、調理をしているか否かを判断し、調理時には自動で送風機の運転、整流板の下降を行ない、未調理時には自動で送風機の停止、整流板の上昇を行なうことができる構成としたことにより、使用者が高所まで手を伸ばしてスイッチを操作することなく送風機の運転、吸い込み間隙の開閉ができる。
【００５８】
また、フード部に照明を設け、温度検知センサーで鍋内の温度を検知することにより、調理をしているか否かを判断し、調理時には自動で照明の点灯、未調理時には自動で照明の消灯ができる構成としたことにより、使用者が高所まで手を伸ばしてスイッチを操作することなく照明の点灯、消灯ができる。
【００５９】
また、複数の照明を設け、温度検知センサーにより調理機器の使用位置を判断し、調理機器の使用位置に応じた位置の照明の点灯、消灯を自動でできる構成としたことにより、効率よく鍋の中を照らすことができる。
【００６０】
また、整流板は複数に分割され、複数の整流板は個別に上昇、下降することができる構成としたことにより、下降した整流板の周囲のみから空気を吸い込むため、吸い込み風速を増加させることができ、油煙を効率よく捕集することができる。
【００６１】
また、フード部に温度検知センサーを設け、その温度検知センサーで鍋内の温度を検知することにより、調理機器の使用位置を判断し、調理機器の使用位置に応じた位置の整流板の上昇、下降と、送風機の運転、停止を自動でできる構成としたことにより、使用者が高所まで手を伸ばしてスイッチを操作することなく送風機の運転ができ、油煙を効率よく捕集することができる。
【００６２】
以下、本発明の実施の形態について図面を参照しながら説明する。
【００６３】
（実施の形態１）
図１〜６に示すように、本発明のレンジフードは、ガスコンロやＩＨクッキングヒーター等の調理機器１上方の壁面２に設置固定される送風機ユニット３と、送風機ユニット３下方に設置され、下面に開口部５を有し、調理で発生した油煙を捕集するための略箱状のフード部４と、フード部４の下面の開口部５に設置された、吸い込み風速を増加させるための矩形状の整流板６とで構成している。前記送風機ユニット３は略筒状の鋼板性の箱体であり、内部にモーター７によって回転する遠心型のファン８を備え、ファン８の前方にはオリフィス９を備えており、送風機ユニット３の天面には室外と連通するダクト１０と接続可能なアダプター１１を設置する。フード部４は前記した下面に開口部５を備えた略箱状の鋼板性の箱体に形成されており、その天板には送風機ユニット３の下面開口に連通する通風用開口を有し、送風機ユニット３のフランジ１２に連結固定されている。前記フード部４天板には、油分を捕捉するためのグリスフィルター２４が着脱可能に取り付けられている。整流板６は、フード部４下面の開口部５より若干寸法小さい矩形状で、外周端面を折り曲げ形成している。ここで、整流板６をフード部４下面の開口部５より若干寸法小さくするのは、後述する、整流板６が上昇し、フード部４下面の開口部５に収まった際のクリアランスである。前記整流板６は、フード部天板の下面の前方と後方に位置して固定された駆動モーター１３に直結したプーリー１４から垂直方向に延びるワイヤー１５の下端に止着して構成されている。また、フード部前面１６は、フード部４左右側方に設置されている収納棚１７の扉１８の前面と同一面となっており、フード部前面１６中央には、送風機ユニット３の内部のモーター７と駆動モーター１３に接続された操作スイッチ１９が設けられている。フード部４の上方には、送風機ユニット３を隠すための幕板２０が扉１８の前面と面一になるように設置されている。また、フード部４下面の壁面２側には調理機器１上の鍋内を照らす照明２１が左右２ヶ所に設置されている。
【００６４】
上記構成において、操作スイッチ１９をＯＮにすると、図１〜３に示すとおり、送風機ユニット３内部のモーター７が回転し、ファン８を回転させると同時に、整流板６の駆動モーター１３が回転し、駆動モーター１３に直結されたプーリー１４に巻き取られていたワイヤー１５が開放されることにより、整流板６が垂直方向に下降する。整流板６が下降すると、整流板６外縁とフード部４下面の開口部５の周縁部との間に吸い込み間隙２２が生じることとなり、その隙間２２から吸い込み力が生じる。操作スイッチ１９をＯＦＦにすると、図４〜５に示すとおり、送風機ユニット３内部のモーター７が停止し、ファン８を停止させると同時に、駆動モーター１３が逆方向に回転し、駆動モーター１３に直結されたプーリー１４でワイヤー１５を巻き取ることにより、整流板６が垂直方向に上昇し、整流板６の下面とフード部４の下面が面一となるよう整流板６がフード部４下面の開口部５内に収まり、整流板６外縁とフード部４下面の開口部５の周縁部との吸い込み間隙２２が閉鎖される。
【００６５】
図６に詳細を示すとおり、フード部４下面の開口部５周縁には、段差を設けておき、段差の水平面の下面に柔軟性のあるパッキン２３を貼り付けておく。整流板６が上昇し、吸い込み間隙２２を閉鎖した際、整流板６外周端面の折り曲げ上端でパッキンがつぶれるようにしておけば、整流板６でフード部４内部を密閉することとなり、屋外からの空気が室内に入ってくるのを防止することができる。
【００６６】
このように本発明の実施の形態１のレンジフードによれば、調理機器の上方に設置され、調理時に発生する油煙を捕集して屋外に排気するレンジフードであって、下面に開口部を備えた略箱状のフード部と、前記フード部下面開口部下方に吸い込み風速を増加させるための矩形状の整流板とを有し、使用時は前記整流板を下降させ、フード部下面開口部の外周との間に隙間を形成し、未使用時は前記整流板を上昇させフード部下面開口部を閉鎖し、フード部下面と整流板下面が面一となるよう構成としたことにより、構造が簡単で、レンジフード未使用時には吸い込み間隙を閉鎖し、フード本体内部の汚れを隠すことができるとともに、フード下面に凹凸がないため、見栄えがよく、レンジフード使用時には調理で発生した油煙を効率よく排気できる。
【００６７】
また、略箱状のフード部前面を、フード部側方に設けられた収納棚前面と面一に構成したことにより、フード部側方に設けられた収納棚前面に対し、フード本体の出っ張りがなく、キッチン全体の美観を損なわない。
【００６８】
また、吸い込み間隙を閉鎖時に、整流板でフード部の内部を密閉することにより、屋外からの空気の侵入を防止することができる。
【００６９】
また、送風機を操作するためのスイッチと連動し、送風機運転時には整流板が自動で下降し、送風機停止時には整流板が自動で上昇する構成としたことにより、自動で吸い込み間隙を開閉することができる。
【００７０】
（実施の形態２）
図７において実施の形態１と異なるところは、フード部４下面の前方の左右２ヶ所に赤外線式温度センサー２５を設けたことである。調理機器１は左、右の２ヶ所のコンロで調理することができ、左、右それぞれの赤外線式温度センサー２５で、それぞれ左コンロ上の鍋内、右コンロ上の鍋内の調理物の温度を測定することができる。赤外線式温度センサー２５が、左右どちらかのコンロの鍋内の調理物の温度が所定以上に上昇したことを検知した場合、調理を開始したと判断し、実施の形態１の操作スイッチ１９をＯＮにしたときと同様、整流板６が下降し、調理により発生した油煙を吸い込む。また、調理を開始したのが、左コンロと判断した場合は、左側の照明のみが点灯し、調理を開始したのが、右コンロと判断した場合は、右側の照明のみが点灯する。一方、赤外線式温度センサー２５が、調理中と判断したコンロの鍋内の調理物の温度が所定以上に下降したことを検知した場合、調理を終了したと判断し、実施の形態１の操作スイッチをＯＦＦにしたときと同様、整流板６が上昇し、吸い込み間隙２２が閉鎖される。また、点灯していた照明は、消灯される。調理を開始、終了したと判断する所定温度は、未調理時に、室内の温度変化で誤って運転、停止を行なわないよう設定しておく。調理機器１の口数がさらに多い場合は、赤外線式温度センサー２５の数量を調理器具の口数に合わせて増やしてもよいし、１つのセンサーで複数の鍋位置の温度を検知させるようにしてもよい。
【００７１】
このように本発明の実施の形態２のレンジフードによれば、フード部に温度検知センサーを設け、その温度検知センサーで鍋内の温度を検知することにより、調理をしているか否かを判断し、調理時には自動で送風機の運転、整流板の下降を行ない、未調理時には自動で送風機の停止、整流板の上昇を行なうことができる構成としたことにより、使用者が高所まで手を伸ばしてスイッチを操作することなく送風機の運転、吸い込み間隙の開閉ができる。
【００７２】
また、フード部に照明を設け、温度検知センサーで鍋内の温度を検知することにより、調理をしているか否かを判断し、調理時には自動で照明の点灯、未調理時には自動で照明の消灯ができる構成としたことにより、使用者が高所まで手を伸ばしてスイッチを操作することなく照明の点灯、消灯ができる。
【００７３】
また、複数の照明を設け、温度検知センサーにより調理機器の使用位置を判断し、調理機器の使用位置に応じた位置の照明の点灯、消灯を自動でできる構成としたことにより、効率よく鍋の中を照らすことができる。
【００７４】
（実施の形態３）
図８において実施の形態２と異なるところは、整流板６を中央で左右に２分割させたことである。赤外線温度センサー２５が左コンロ上で調理を開始したと判断した場合は、右整流板６ｂは下降させず、左整流板６ａのみを下降させ、左整流板６ａ周囲に吸い込み間隙を形成する。左コンロ上で調理を行ない、調理機器の周囲に気流が少ない場合には、油煙はまっすぐ、左整流板６ａ周囲の吸い込み間隙に立ち昇る。また、この場合の吸い込み間隙は、整流板６を分割していない場合の吸い込み間隙より断面積が小さいので、吸い込み風速が大きくなり、油煙を効率よく捕集、排気できる。
【００７５】
このように本発明の実施の形態３のレンジフードによれば、整流板は複数に分割され、複数の整流板は個別に上昇、下降することができる構成としたことにより、下降した整流板の周囲のみから空気を吸い込むため、吸い込み風速を増加させることができ、油煙を効率よく捕集することができる。
【００７６】
また、フード部に温度検知センサーを設け、その温度検知センサーで鍋内の温度を検知することにより、調理機器の使用位置を判断し、調理機器の使用位置に応じた位置の整流板の上昇、下降と、送風機の運転、停止を自動でできる構成としたことにより、使用者が高所まで手を伸ばしてスイッチを操作することなく送風機の運転ができ、油煙を効率よく捕集することができる。
【産業上の利用可能性】
【００７７】
本発明のレンジフードは、未使用時には整流板が上昇し、フード部下面と面一になることにより見栄えをよくできるものであり、天井埋込形換気扇の吸い込みパネルにも適用できる。
【図面の簡単な説明】
【００７８】
【図１】本発明の実施の形態１の吸い込み間隙開放時の側面断面図
【図２】図１のＸ−Ｘ断面図
【図３】本発明の実施の形態１の吸い込み間隙開放時の斜視図
【図４】本発明の実施の形態１の吸い込み間隙閉鎖時の側面断面図
【図５】本発明の実施の形態１の間隙閉鎖時の斜視図
【図６】図１のフード下部と整流板の周縁を示す部分拡大図
【図７】本発明の実施の形態２の吸い込み間隙閉鎖時の斜視図
【図８】本発明の実施の形態３の左側の吸い込み間隙開放時の正面断面図
【図９】従来のレンジフードの断面図
【図１０】従来のレンジフードのフード下部と整流板の周縁を示す部分拡大図
【符号の説明】
【００７９】
１    調理機器
２    壁面
３    送風機ユニット
４    フード部
５    開口部
６    整流板
６ａ  左整流板
６ｂ  右整流板
７    モーター
８    ファン
９    オリフィス
１０  ダクト
１１  アダプター
１２  フランジ
１３  駆動モーター
１４  プーリー
１５  ワイヤー
１６  フード部前面
１７  収納棚
１８  扉
１９  操作スイッチ
２０  幕板
２１  照明
２２  吸い込み間隙
２３  パッキン
２４  グリスフィルター
２５  赤外線式温度センサー
【図１】
2008082634.tif 000003
【図２】
2008082634.tif 000004
【図３】
2008082634.tif 000005
【図４】
2008082634.tif 000006
【図５】
2008082634.tif 000007
【図６】
2008082634.tif 000008
【図７】
2008082634.tif 000009
【図８】
2008082634.tif 000010
【図９】
2008082634.tif 000011
【図１０】
2008082634.tif 000012